(57)【要約】【課題】設置された家具の扉等に調音機能を持たせることで、自然な見た目でありながら、室内空間の調音をすることができる調音扉、収納室、収納家具、調音部材、および、室内空間の調音方法を提供する。【解決手段】調音扉１は、音波が透過可能な音波透過領域が形成された扉本体部２と、表裏を透過する音波を散乱させる第１シート３１、および、第１シート３１と所要間隔を空けて対向配置され、表裏を透過する音波を散乱させる第２シート３２を有し、第１シート３１および第２シート３２を音波透過領域の全部または一部を塞ぐようにして扉本体部２に取り付けた構造である、調音部３とを備える。【選択図】図２
2019167793.tif 000002
【特許請求の範囲】
【請求項１】
音波が透過可能な音波透過領域が形成された扉本体部と、
表裏を透過する音波を散乱させる第１シート、および、該第１シートと所要間隔を空けて対向配置され、表裏を透過する音波を散乱させる第２シートを有し、前記第１シートおよび前記第２シートを前記音波透過領域の全部または一部を塞ぐようにして前記扉本体部に取り付けた構造である、調音部とを備える
調音扉。
【請求項２】
前記第１シートおよび前記第２シートが、柔軟な繊維シートで構成されている
請求項１に記載の調音扉。
【請求項３】
前記第１シートの音波の透過率と、前記第２シートの音波の透過率とが、相違するように設定されている
請求項１または請求項２に記載の調音扉。
【請求項４】
室内の壁面の一部に開口部が形成され、該開口部を介して室内と接続した空間部と、
前記開口部を閉じ、音波が透過可能な音波透過領域が形成された扉本体部と、表裏を透過する音波を散乱させる第１シート、および、該第１シートと所要間隔を空けて対向配置され、表裏を透過する音波を散乱させる第２シートを含み、前記第１シートおよび前記第２シートを前記音波透過領域の全部または一部を塞ぐようにして前記扉本体部に取り付けた構造である調音部を有する調音扉とを備える
室内収納部。
【請求項５】
開口部が形成された箱状の家具本体部と、
前記開口部を閉じ、音波が透過可能な音波透過領域が形成された扉本体部と、表裏を透過する音波を散乱させる第１シート、および、該第１シートと所要間隔を空けて対向配置され、表裏を透過する音波を散乱させる第２シートを含み、前記第１シートおよび前記第２シートを前記音波透過領域の全部または一部を塞ぐようにして前記扉本体部に取り付けた構造である調音部を有する調音扉とを備える
収納家具。
【請求項６】
表裏を透過する音波を散乱させる第１シート、および、該第１シートと所要間隔を空けて対向配置され、表裏を透過する音波を散乱させる第２シートを有し、前記第１シートおよび前記第２シートを室内空間に設けられた構造物の開口部分の全部または一部を塞ぐように取り付け可能な構造である
調音部材。
【請求項７】
第１シート、および、該第１シートと所要間隔を空けて対向配置された第２シートを有し、室内空間に設けられた構造物の開口部分の全部または一部を塞ぐように取り付けられた調音部材を使用し、
前記第１シートが、表裏を透過する音波を散乱させる、第１ステップと、
前記第２シートが、表裏を透過する音波を散乱させる、第２ステップとを備える
室内空間の調音方法。
【発明の詳細な説明】
【技術分野】
【０００１】
本発明は、調音扉、収納室、収納家具、調音部材、および、室内空間の調音方法に関する。更に詳しくは、設置された家具の扉等に調音（室内空間において音響を調整することをいう。以下同じ）機能を持たせることで、自然な見た目でありながら、室内空間の調音をすることができるものに関する。
【背景技術】
【０００２】
近年、建設される住宅等において、室内の気密性の向上や壁材の変化による室内の音響環境が変化し、室内で音が聞き取りづらい障害（以下「音響障害」という）が生じている。音響障害としては、定在波、反響音の干渉（音の響き過ぎ）、フラッターエコー、ブーミング等が挙げられ、定在波等によってテレビや電話の音が聞き取りづらいか、聞き取れない程になることもある。
【０００３】
このような音響障害の対策として、下記特許文献１に記載された吸音パネルが提案されている。図９に示すこの吸音パネル９は、レゾネータ部材９１の内部に中空部９２を設けると共に、レゾネータ部材９１の音源側の表面に、中空部９２と連通する開口９３を設けてなるレゾネータ式吸音パネルであり、レゾネータ部材９１の音源側表面の少なくとも前述の開口９３間に、音源方向に向けて突出する断面三角形状の凸部９４を、前述の開口９３の連設方向と平行に設けてなる構成である。この吸音パネル９によれば、室内で生じた反響音を吸音し、前述の音響障害を抑制することができる。
【先行技術文献】
【特許文献】
【０００４】
【特許文献１】特開平１１−１３１６４号公報
【発明の概要】
【発明が解決しようとする課題】
【０００５】
ところで、吸音パネル９のようなこの種の吸音パネルは、室内の壁面に設置されるものであるが、通常の生活空間に設置した場合、壁面から突き出た（壁面に凹凸が生じる）態様になって、見た目があまり良くない。
【０００６】
また、吸音パネル９は、音響障害対策として充分な能力を有するが、一般住宅のリビング等の生活空間においては、音楽スタジオレベルの吸音能力は必ずしも要求されていない。このため、本発明者は、会話や電話の聞き取り、テレビ視聴等に問題が無い程度の環境を整えることができる簡易な器具または方法の潜在需要があるものと考えた。
【０００７】
本発明は、以上の点を鑑みて創案されたものであり、設置された家具の扉等に調音機能を持たせることで、自然な見た目でありながら、室内空間の調音をすることができる調音扉、収納室、収納家具、調音部材、および、室内空間の調音方法を提供することを目的とする。
【課題を解決するための手段】
【０００８】
上記の目的を達成するために本発明の調音扉は、音波が透過可能な音波透過領域が形成された扉本体部と、表裏を透過する音波を散乱させる第１シート、および、第１シートと所要間隔を空けて対向配置され、表裏を透過する音波を散乱させる第２シートを有し、第１シートおよび第２シートを音波透過領域の全部または一部を塞ぐようにして扉本体部に取り付けた構造である、調音部とを備える。
【０００９】
ここで、本発明の調音扉は、扉本体部が調音部の被取り付け材となり、調音部の取り付けによって調音扉を構成することができる。そして、扉本体部は、形成された音波透過領域によって、入射する音波を透過させることができる。
【００１０】
なお、本明細書中でいう用語「調音」は、空間内において吸音が適切に行われることで、音の響きや反響を緩和する等して、音響を調える意味で使用している。また、本明細書中でいう用語「塞ぐ」は、「覆う」とも換言でき、音波透過領域について、音波を遮断しない（音波が通過できる）態様で塞ぐ（覆う）ことを意味している。
【００１１】
本明細書中でいう用語「音波透過領域」は、音波が透過ないし通過可能な領域であればよく、開口部のような実体が存在しない領域、および、開口部の内側領域に音波が透過可能な格子状のフレーム（実体）等を設けた領域の、いずれも含む意味で使用している。具体的な「音波透過領域」の態様としては、例えば、扉本体部が板状であるときは、板厚方向へ貫通して形成された開口部が挙げられ、また、扉本体部が枠状であるときは、枠で囲まれた内側領域、あるいは、枠が構成材の一部を成す想像上の扉の外形線の内側領域等が挙げられる。
【００１２】
そして、調音部は、第１シートによって、第１シートの表裏を透過する音波を散乱させることができる。詳しくは、音源から調音扉に到達した音波は、第１シートの表から入射し、入射した音波は第１シートによって散乱する。つまり、第１シートは、第１シートの裏に透過した音波（以下「透過音波」という）を、透過前と比較して散乱した状態にすることができる。なお、「第１シート」および「第２シート」の説明において、用語「表」は音波が入射する側のシート面を意味し、用語「裏」は入射した音波が透過する側のシート面を意味する。
【００１３】
更に、調音部は、第１シートと第２シートが所要間隔を空けて対向配置された構造であり、第１シートと第２シートとの間には空隙が生じている。この空隙が存在することにより、第１シートにより散乱した音波は、第２シートに至るまで、進行が阻害されることなく、空隙内を通る。
【００１４】
更にまた、調音部は、第２シートによって、第２シートの表裏を透過する音波を散乱させることができる。詳しくは、第１シートからの透過音波は、第２シートの表から入射し、入射した音波は第２シートによって散乱する。つまり、第２シートは、第２シートの透過音波を、透過前と比較して更に散乱した状態にすることができる。
【００１５】
このように、調音部が有する第１シートと第２シートは、それぞれのシートで透過する音波を散乱させ、この結果、透過音波を、各シートに到達する前の音波よりも減衰（散乱減衰）させること、即ち、吸音することができる。第１シートにより散乱減衰した透過音波は、第２シートにより更に散乱減衰するので、つまり、第１シートの表に到達前の音波よりも、第２シートの裏に透過した音波は散乱減衰することになる。即ち、調音部は、第１シートと第２シートとが協働する構造となっている。
【００１６】
更にまた、調音部は、構成材としてシートを採用していることにより、板材等で構成した場合と比較して、調音扉全体の軽量化に寄与することができる。なお、第１シートと第２シートは、別々の２枚のシートで構成してもよいし、１枚の長尺シートをループ状とするか、あるいは折り曲げて、対向配置された各面が構成されるようにしてもよい。また、例えば、第１シートと第２シートの間、あるいは、第１シートまたは第２シートの外側に、別の第３シート等を設けることもできる。
【００１７】
本発明の調音扉は、例えば、室内に設けられた収納スペースや収納家具の扉口に取り付けられた場合、室内と収納スペース等を仕切って、内部を見えなくすることができる。また、仮に、音波が調音扉の後背側（例えば、調音扉を取り付けた収納スペース内等）で反射して再度調音部を透過したときは、更に散乱減衰が進んで、例えば一般の人の聴覚では認識できないほどの音にすることができる。
【００１８】
このように、本発明の調音扉によれば、取り付けた家具等に調音機能を付与することができ、室内空間の調音をすることができる。また、本発明の調音扉によれば、従来の壁面等に設けられていた吸音パネル等と比較して、自然な見た目であるため、利用者に違和感を与えない室内空間にすることができる。
【００１９】
また、第１シートおよび第２シートが、柔軟な繊維シートで構成されている場合は、繊維および繊維の間の隙間を通ることによって、表裏を透過する音波を散乱させることができる。
【００２０】
詳しくは、繊維シートは、隙間を通じて、表から入射した音波を透過させる。そして、繊維部分に当たった音波は、繊維の柔軟性によって振動エネルギーが吸収され、反射量が低減する。
【００２１】
このように、柔軟な繊維シートで構成された第１シートおよび第２シートによれば、透過前と比較して、通過音波が散乱減衰すると共に、吸音減衰するので、室内空間における調音効果を高めることができる。
【００２２】
そして、柔軟なシートであることにより、扉本体部へ取り付けの際に、例えば、枠体に回し掛けて取り付ける等の方法を選択することができる。加えて、一般的な材料であるため調達が容易で、製造コストを比較的安価に抑えることができる。なお、「繊維シート」は、編布、織布および不織布のいずれも含む意味で使用している。
【００２３】
また、第１シートの音波の透過率と、第２シートの音波の透過率とが、相違するように設定されている場合は、音波の透過率に基づく少なくとも２つの帯域の散乱減衰によって、室内空間の調音効果を更に高めることができる。
【００２４】
ところで、一般的に、各シートの音波の透過率が異なるときは、透過音波の周波数も異なる場合が多く、この知見を適用し、例えば、音響障害を起こす周波数帯域の音波を減衰させる音波透過率の繊維シートＸ、この繊維シートＸが減衰させる周波数帯域と異なる周波数帯域で、音響障害を起こす周波数帯域の音波を減衰させる音波透過率の繊維シートＹを適宜組み合わせることによって、室内空間の調音効果を更に高めることができる。
【００２５】
なお、例えば、前述したように、第１シートと第２シート以外に、別のシート等を取り付ける場合は、別のシート等の音波の透過率は、第１シートまたは第２シートのいずれとも相違してもよいし、第１シートまたは第２シートのいずれかと同じであってもよい。
【００２６】
上記の目的を達成するために本発明の室内収納部は、室内の壁面の一部に開口部が形成され、開口部を介して室内と接続した空間部と、開口部を閉じ、音波が透過可能な音波透過領域が形成された扉本体部と、表裏を透過する音波を散乱させる第１シート、および、第１シートと所要間隔を空けて対向配置され、表裏を透過する音波を散乱させる第２シートを含み、第１シートおよび第２シートを音波透過領域の全部または一部を塞ぐようにして扉本体部に取り付けた構造である調音部を有する調音扉とを備える。
【００２７】
ここで、本発明の室内収納部は、壁と一体化させる等して固定された、いわゆる造作家具であり、空間部の開口部が調音扉で閉じられていることで、室内収納部が設けられた室内空間の調音をすることができる。なお、室内収納部の例としては、造り付けの戸棚、クローゼットあるいは納戸等が挙げられる。
【００２８】
そして、扉本体部は、調音部と共に調音扉を構成し、この調音扉を空間部の開口部（扉口ともいう）を塞ぐように開口縁部に取り付けることによって、室内と空間部が仕切られ、内部を見えなくすることができる。また、扉本体部は、形成された音波透過領域によって、入射する音波を透過させることができる。
【００２９】
そして、調音部は、第１シートによって、第１シートの表裏を透過する音波を散乱させることができる。詳しくは、音源から調音扉に到達した音波は、第１シートの表から入射し、入射した音波は第１シートによって散乱する。つまり、第１シートは、透過音波を、透過前と比較して散乱した状態にすることができる。
【００３０】
更に、調音部は、第１シートと第２シートが所要間隔を空けて対向配置された構造であり、第１シートと第２シートとの間には空隙が生じている。この空隙が存在することにより、第１シートにより散乱した音波は、第２シートに至るまで、進行が阻害されることなく、空隙内を通る。
【００３１】
更にまた、調音部は、第２シートによって、第２シートの表裏を透過する音波を散乱させることができる。詳しくは、第１シートからの透過音波は、第２シートの表から入射し、入射した音波は第２シートによって散乱する。つまり、第２シートは、第２シートの透過音波を、透過前と比較して更に散乱した状態にすることができる。
【００３２】
このように、調音部が有する第１シートと第２シートは、それぞれのシートで透過する音波を散乱させ、この結果、透過音波を、各シートに到達する前の音波よりも減衰（散乱減衰）させること、即ち、吸音することができる。第１シートにより散乱減衰した透過音波は、第２シートにより更に散乱減衰するので、つまり、第１シートの表に到達前の音波よりも、第２シートの裏に透過した音波は散乱減衰することになる。即ち、調音部は、第１シートと第２シートとが協働する構造となっている。また、調音部は、構成材としてシートを採用していることにより、板材等で構成した場合と比較して、調音扉全体の軽量化に寄与することができる。
【００３３】
そして、調音部を透過して調音扉の後背側に至った透過音波は、調音扉への到達前と比較して散乱減衰が進んでおり、仮に、音波が調音扉の後背側である空間部内で反射して再度調音部を透過したとしても、更に散乱減衰が進むため、例えば一般の人の聴覚では認識できないほどの音になる。
【００３４】
なお、前述の調音扉は、調音扉の後背方向のすぐ近くに壁面がある場合よりも、調音扉の後背方向にある程度の奥行きを持った空間がある方が、音波の反射の影響がないか、あるいは小さいので、調音部を透過した後の音波の散乱減衰が進む。そして、前述の空間部は、調音扉の後背側に位置する閉じられた空間であるため、いわゆる吸音パネルの空気室等と同等の作用効果を奏し、共鳴式の消音構造と同等の消音効果も期待できる。つまり、本発明の室内収納部は、調音扉と空間部とが協働して、設けられた室内に優れた調音効果をもたらすことができる。
【００３５】
加えて、前述の室内収納部内に、例えば衣服等の、音波を減衰させるものを収納している場合は、調音扉を透過した音波がこれら収納物によっても減衰し、設けられた室内に更に優れた調音効果をもたらすことができる。
【００３６】
このように、本発明の室内収納部によれば、扉部分に調音機能が付与されていることによって、室内空間の調音をすることができる。また、本発明の室内収納部に取り付けられた調音扉は、従来の壁面等に設けられていた吸音パネル等と比較して、自然な見た目であるため、利用者に違和感を与えない室内空間にすることができる。
【００３７】
上記の目的を達成するために本発明の収納家具は、開口部が形成された箱状の家具本体部と、開口部を閉じ、音波が透過可能な音波透過領域が形成された扉本体部と、表裏を透過する音波を散乱させる第１シート、および、第１シートと所要間隔を空けて対向配置され、表裏を透過する音波を散乱させる第２シートを含み、第１シートおよび第２シートを音波透過領域の全部または一部を塞ぐようにして扉本体部に取り付けた構造である調音部を有する調音扉とを備える。
【００３８】
ここで、本発明の収納家具は、家具本体の開口部が調音扉で閉じられていることで、自然な見た目のインテリアでありながら、設置された室内空間の調音をすることができる。なお、収納家具の例としては、サイドボード、リビングボード、ダイニングボード、ワードローブ、本棚、整理ダンス等の、主に移動可能なものが挙げられる。これらの収納家具は、前述の室内収納部と異なり据え付けではないので、室内空間に応じた自由なレイアウトや模様替え、室内環境に応じた設置数の増減を容易に行うことができる。
【００３９】
そして、前述の扉本体部は、調音部と共に調音扉を構成し、この調音扉を家具本体部の開口部（扉口ともいう）を塞ぐように開口縁部に取り付けることによって、室内と家具本体部が仕切られ、内部を見えなくすることができる。そして、扉本体部は、形成された音波透過領域によって、入射する音波を透過させることができる。
【００４０】
更に、調音部は、第１シートによって、第１シートの表裏を透過する音波を散乱させることができる。詳しくは、音源から調音扉に到達した音波は、第１シートの表から入射し、入射した音波は第１シートによって散乱する。つまり、第１シートは、透過音波を、透過前と比較して散乱した状態にすることができる。
【００４１】
更にまた、調音部は、第１シートと第２シートが所要間隔を空けて対向配置された構造であり、第１シートと第２シートとの間には空隙が生じている。この空隙が存在することにより、第１シートにより散乱した音波は、第２シートに至るまで、進行が阻害されることなく、空隙内を通る。
【００４２】
加えて、調音部は、第２シートによって、第２シートの表裏を透過する音波を散乱させることができる。詳しくは、第１シートからの透過音波は、第２シートの表から入射し、入射した音波は第２シートによって散乱する。つまり、第２シートは、第２シートの透過音波を、透過前と比較して更に散乱した状態にすることができる。
【００４３】
このように、調音部が有する第１シートと第２シートは、それぞれのシートで透過する音波を散乱させ、この結果、透過音波を、各シートに到達する前の音波よりも散乱減衰させること、即ち、吸音することができる。第１シートにより散乱減衰した透過音波は、第２シートにより更に散乱減衰するので、つまり、第１シートの表に到達前の音波よりも、第２シートの裏に透過した音波は散乱減衰することになる。即ち、調音部は、第１シートと第２シートとが協働する構造となっている。また、調音部は、構成材としてシートを採用していることにより、板材等で構成した場合と比較して、調音扉全体の軽量化に寄与することができる。
【００４４】
そして、調音部を透過して調音扉の後背側に至った透過音波は、調音扉への到達前と比較して散乱減衰が進んでおり、仮に、音波が調音扉の後背側である家具本体部内で反射して再度調音部を透過したとしても、更に散乱減衰が進むため、例えば一般の人の聴覚では認識できないほどの音になる。
【００４５】
なお、前述の調音扉は、調音扉の後背方向のすぐ近くに壁面がある場合よりも、調音扉の後背方向にある程度の奥行きを持った空間がある方が、音波の反射の影響がないか、あるいは小さいので、調音部を透過した後の音波の散乱減衰が進む。そして、前述の家具本体部は、調音扉の後背側に位置する閉じられた空間であるため、いわゆる吸音パネルの空気室等と同等の作用効果を奏し、共鳴式の消音構造と同等の消音効果も期待できる。つまり、本発明の収納家具は、調音扉と家具本体部とが協働して、設けられた室内に優れた調音効果をもたらすことができる。
【００４６】
加えて、前述の収納家具内に、例えば衣服等の、音波を減衰させるものを収納している場合は、調音扉を透過した音波がこれら収納物によっても減衰し、設けられた室内に更に優れた調音効果をもたらすことができる。
【００４７】
このように、本発明の収納家具によれば、扉部分に調音機能が付与されていることによって、室内空間の調音をすることができる。また、本発明の室内収納部に取り付けられた調音扉は、従来の壁面等に設けられていた吸音パネル等と比較して、自然な見た目であるため、利用者に違和感を与えない室内空間にすることができる。
【００４８】
上記の目的を達成するために本発明の調音部材は、表裏を透過する音波を散乱させる第１シート、および、第１シートと所要間隔を空けて対向配置され、表裏を透過する音波を散乱させる第２シートを有し、第１シートおよび第２シートを室内空間に設けられた構造物の開口部分の全部または一部を塞ぐように取り付け可能な構造である。
【００４９】
ここで、本発明の調音部材は、室内空間に設けられた構造物の開口部分に取り付けられた際に、自然な見た目でありながら、室内空間の調音をすることができる。
【００５０】
そして、調音部材は、第１シートによって、第１シートの表裏を透過する音波を散乱させることができる。詳しくは、音源から調音部材に到達した音波は、第１シートの表から入射し、入射した音波は第１シートによって散乱する。つまり、第１シートは、第１シートの透過音波を、透過前と比較して散乱した状態にすることができる。
【００５１】
更に、調音部材は、第１シートと第２シートが所要間隔を空けて対向配置された構造であり、第１シートと第２シートとの間には空隙が生じている。この空隙が存在することにより、第１シートにより散乱した音波は、第２シートに至るまで、進行が阻害されることなく、空隙内を通る。
【００５２】
更にまた、調音部材は、第２シートによって、第２シートの表裏を透過する音波を散乱させることができる。詳しくは、第１シートからの透過音波は、第２シートの表から入射し、入射した音波は第２シートによって散乱する。つまり、第２シートは、第２シートの透過音波を、透過前と比較して更に散乱した状態にすることができる。
【００５３】
このように、調音部材が有する第１シートと第２シートは、それぞれのシートで透過する音波を散乱させ、この結果、透過音波を、各シートに到達する前の音波よりも散乱減衰させること、即ち、吸音することができる第１シートにより散乱減衰した透過音波は、第２シートにより更に散乱減衰するので、つまり、第１シートの表に到達前の音波よりも、第２シートの裏に透過した音波は散乱減衰することになる。即ち、調音部材は、第１シートと第２シートとが協働する構造となっている。
【００５４】
なお、室内空間に設けられた構造物の開口部分の例としては、隣室との間あるいは間仕切りの壁に設けられた窓状の開口部、衝立などの仕切り材に設けられた開口部、柱と柱の間の壁面の凹んだ領域の開口部、柱と、柱が設けられた壁面に隣接する壁との間の凹んだ領域の開口部等が挙げられる。
【００５５】
このように、本発明の調音部材によれば、室内空間に設けられた構造物の開口部分に調音機能を付与することができ、室内空間の調音をすることができる。また、本発明の調音部材によれば、従来の壁面等に設けられていた吸音パネル等と比較して、自然な見た目であるため、利用者に違和感を与えない室内空間にすることができる。
【００５６】
上記の目的を達成するために本発明の室内空間の調音方法は、第１シート、および、第１シートと所要間隔を空けて対向配置された第２シートを有し、室内空間に設けられた構造物の開口部分の全部または一部を塞ぐように取り付けられた調音部材を使用し、第１シートが、表裏を透過する音波を散乱させる、第１ステップと、第２シートが、表裏を透過する音波を散乱させる、第２ステップとを備える。
【００５７】
ここで、音源から調音部材に到達した音波は、最初に第１シートに入射し、入射後に第１シートによって透過方向に散乱する。つまり、第１ステップを経ることによって、透過音波を、透過前と比較して散乱した状態にすることができる。
【００５８】
そして、第１シートにより散乱した音波が、第１シートと第２シートとの間に形成された空隙を透過する。このとき、第１シートにより散乱した音波は、第２シートに至るまで、進行が阻害されることなく、空隙内を通る。
【００５９】
更に、第１シートの透過音波は、第２シートに入射し、入射後に第２シートによって透過方向に散乱する。つまり、第２ステップを経ることによって、透過音波を、透過前と比較して更に散乱した状態にすることができる。
【００６０】
このように、本発明の室内空間の調音方法によれば、自然な見た目で配置された調音部材を使用して、室内空間の調音をすることができる。
【発明の効果】
【００６１】
本発明の調音扉、収納室、収納家具、調音部材、および、室内空間の調音方法によれば、設置された家具の扉等に調音機能を持たせることで、自然な見た目でありながら、室内空間の調音をすることができる。
【図面の簡単な説明】
【００６２】
【図１】本発明の調音扉（第１実施形態）を示す正面図である。
【図２】図１に示す調音扉の構造を模式的に示し、一部拡大した縦方向断面図である。
【図３】本発明の調音扉の他の例（第２実施形態）を示す正面図である。
【図４】図３に示す調音扉の構造を模式的に示し、一部拡大した縦方向断面図である。
【図５】本発明の室内収納部（第３実施形態）を示しており、（ａ）は室内側である正面方向から見た斜視図、（ｂ）は室内収納部の横断面方向の模式図、（ｃ）は室内収納部の縦断面方向の模式図である。
【図６】本発明の収納家具（第４実施形態）を室内側である正面方向から見た斜視図である。
【図７】本発明の調音部材（第５実施形態）が適用された衝立を正面方向から見た斜視図である。
【図８】本発明の調音部を構成する繊維シートに関する試験データを示したグラフである。
【図９】特許文献１記載の吸音パネルを示し、（ａ）は正面図、（ｂ）は側面図である。
【発明を実施するための形態】
【００６３】
図１ないし図８を参照して、本発明の実施の形態を更に詳細に説明する。なお、以下の説明は、〔第１実施形態〕−〔第５実施形態〕の順序により行う。また、図面各図における符号は、煩雑さを軽減し理解を容易にする範囲内で付しており、同一符号が付される複数の同等物についてはその一部にのみ符号を付す場合がある。
【００６４】
〔第１実施形態〕
図１と図２を参照する。第１実施形態の調音扉１は、扉本体部２と調音部３により構成されている。
【００６５】
（扉本体部）
扉本体部２は、左右に配置された一対の縦枠２１と、縦枠２１の上下端に架け渡された一対の横枠２２と、枠内に設けられた調音部２を掛止する一対の掛止部２３を有している。各掛止部２３は、縦枠２１の上下端近傍に架け渡されており、縦枠２１の長さ方向中間部方向に、横枠２２と所定の間隔を空けて取り付けられている。
【００６６】
本実施形態において、縦枠２１および横枠２２は角材により形成されているが、これに限定するものではなく、例えば、扉のサイズや全体に占める調音部の面積に応じて、板材等で形成してもよい。また、掛止部２３は丸棒により形成されているが、これに限定するものではなく、例えば、端面形状が半円弧形の棒体や、角棒等であってもよい。
【００６７】
（調音部）
調音部３は、扉本体部２の枠内に設けられており、多数の通気部（図示省略）が形成された柔軟な繊維シートで形成されている。
【００６８】
調音部３は、長尺な繊維シートを各掛止部２３に所定のテンションで緩まないように回し掛けて、正面側と背面側に、第１シート３１と第２シート３２が配置された態様となっており、各シートは扉本体２の厚み方向に所要の間隔で対向するように配置された構造である。そして、第１シート３１と第２シート３２の間には、掛止部２３の直径と略同幅の空隙３３が形成されている。以後の説明では、調音部３の表面（図１における正面側）を第１シート３１として、調音部３の裏面を第２シート３２として説明する。
【００６９】
本実施形態において、調音部３の構成材として繊維シートを採用しているが、これに限定するものではなく、例えば、多数の小孔からなる通気部が形成された合成樹脂製のシート等を採用することもできる。なお、シート部材として柔軟な繊維シートを採用したことにより、繊維自体が持つ柔軟性によって音波の振動を吸収し、前述の散乱減衰の作用に加え、吸収減衰の作用が相俟って、調音扉１の調音効果を更に高めている。
【００７０】
本実施形態において、調音部３の構成材は、通気量（ｃｍ３／ｃｍ２・Ｓ）が２３以上１１６以下の繊維シートが好適に使用される。通気量が１１６を超える場合は、音波の通りが良くなり過ぎて（換言すると、素通し状態に近づいて）調音効果が低下する傾向があり、好ましくない。一方、通気量が２３未満の場合は、音波の通りが良くないので（換言すると、抜けが悪くなって室内側へ反射する状態に近づくので）、この場合も調音効果が低下する傾向があり、好ましくない。
【００７１】
本実施形態において、調音部３は、長尺なシート部材を掛止部２３に回し掛けて、第１シート３１と第２シート３２が形成された態様であるが、これに限定するものではなく、例えば、２枚のシート部材を掛止部の表裏両側に接着する態様で形成してもよい。
【００７２】
本実施形態において、第１シート３１と第２シート３２の間の距離は約３０ｍｍであるが、これに限定するものではなく、この距離は例えば２０ｍｍ以上４０ｍｍ以下であることが好ましい。２０ｍｍ未満の場合、第１シートと第２シートの間の距離が近づきすぎて音波の散乱を促進する効果が弱まり、４０ｍｍを超える場合、音波の散乱を促進する効果は向上するが、扉本体部の厚みも増すため、扉としては適当なサイズではなくなる可能性があるためである。
【００７３】
（調音扉を用いた調音方法）
調音扉１の作用効果（即ち、調音方法）について説明する。
【００７４】
音源（例えば、テレビ等の音等、室内で生じたもの）から調音扉１に到達した音波は、最初に第１シート３１の表から入射し、第１シート３１の裏に透過する。この透過音波は、第１シート３１によって、透過前と比較して散乱した状態となっている。つまり、第１シート３１は、透過音波を、透過前と比較して散乱した状態にすることができる。加えて、第１シート３１は、繊維部分に当たった音波が、繊維の柔軟性によって音響エネルギーが吸収され（換言すると、音波の振動が繊維の振動エネルギーに変換され、その結果、吸音され）、反射量が低減する。
【００７５】
第１シート３１により散乱した音波は、空隙３３を透過して第２シート３２に至る。この空隙３３の透過の際には、分散した音波の進行が邪魔されないため、更なる不規則方向への散乱が起きる。
【００７６】
空隙３３を透過した音波は、第２シート３２の表（空隙側）から入射し、第２シート３１の裏に透過する。この透過音波は、第２シート３２によって、透過前と比較して散乱した状態となっている。つまり、第２シート３２も、透過音波を、透過前と比較して散乱した状態にすることができる。加えて、第２シート３２も、繊維部分に当たった音波が、繊維の柔軟性によって音響エネルギーが吸収され、音源側へ音波が反射することを抑制する。
【００７７】
つまり、調音部３の第１シート３１と第２シート３２は、それぞれのシートで透過する音波を散乱させ、この結果、透過音波を、各シートに到達する前の音波よりも散乱減衰させること、即ち、吸音することができる。第１シート３１により散乱減衰した透過音波は、第２シート３２により更に散乱減衰するので、第１シート３１の表に到達前の音波よりも、第２シート３２の裏に透過した音波は散乱減衰することになる。即ち、調音部３は、第１シート３１と第２シート３２とが協働する構造となっている。
【００７８】
このように、調音扉１によれば、例えば、造り付けの家具、あるいは室内空間に置かれた家具の扉として使用した場合、この扉に調音機能を持たせることができ、これによって、室内空間の調音をすることができる。また、調音扉１によれば、従来の吸音パネル等と比較して、自然な見た目であるため、室内を見栄のする空間にすることができる。
【００７９】
〔第２実施形態〕
図３と図４を参照する。第２実施形態の調音扉１ａは、扉本体部２ａと複数の調音部３ａにより構成されている。調音扉１ａは、第１実施形態の調音扉１で１つだった調音部が、扉本体部２ａの長手方向へ複数に分割配置された態様である。調音扉１で説明した部分との共通部分には同じ符号を付してその構造および作用の説明を省略し、相違する点のみを以下で説明する。
【００８０】
扉本体部２ａは、左右に配置された一対の縦枠２１と、縦枠２１の上下端に架け渡された一対の横枠２２と、枠内に設けられた各調音部３ａを掛止する複数組（本実施形態では６組）の掛止部２３ａ１、２３ａ２を有している。
【００８１】
各掛止部２３ａ１、２３ａ２は、上下一対の棒体を各縦枠２１の間に架け渡してなる。そして、上側に位置する掛止部２３ａ１は、図４において扉本体部２ａの背部側に配置され、下側に位置する掛止部２３ａ２は、図４において扉本体部２ａの前部側に配置されている。つまり、掛止部２３ａ１、２３ａ２は、掛着状態の調音部３ａを、図４における縦枠２１の長尺方向の中央線Ｌ１を挟んで、扉本体部２ａの背部側から前部側へ下り傾斜するように掛止する。
【００８２】
なお、最上段に位置する組の掛止部２３ａ１と、最下段に位置する組の掛止部２３ａ２を除いて、上段組の掛止部２３ａ２と下段組の掛止部２３ａ１は、その軸心が横方向の水平軸線Ｌ２上に並ぶように配置されている（図４の一部拡大図参照）。
【００８３】
このような各掛止部２３ａ１、２３ａ２の配置構成により、各段の各調音部３ａは、図３の正面視で、調音扉１ａの長手方向（高さ方向）において、水平軸線Ｌ２上に生じる掛止部２３ａ１と掛止部２３ａ２の間の隙間が見えないように取り付けられる。これにより、少なくとも扉本体部２ａの上方ないし正面の方向から入射する音波が、通気のために設けられた各調音部３ａの間の隙間を素通りしない構成となっている。
【００８４】
また、各調音部３ａは、調音扉１の調音部３と比べて、調音扉１ａの長手方向に短いサイズであるため、調音扉１の製造時における調音部３の張設作業よりも弱いテンションで弛まないように取り付けることができるので、作業が容易であり、張設後に繊維シートが延びることを抑制することができる。そして、張設後の調音部３は、掛け回した繊維シートの長さが短いので、製造後の弛みが起きにくくなる。
【００８５】
〔第３実施形態〕
図５を参照する。図５に示す本発明の第３実施形態は、室内収納部４（クローゼット）である。室内収納部４は、室内側に向けて開口した空間部４０と、この開口部分を閉じる調音扉１ｂとを備える。空間部４０は、室内の壁面の一部に所定の奥行き（本実施形態では約６０ｃｍ）を以て設けられ、洋服等の収納物Ｃを出し入れ可能に構成されている。
【００８６】
調音扉１ｂは、左右方向へ両開きで、かつ片側３枚構成の折り戸式の扉である。なお、折り戸を構成する扉は、調音部の段数を除いて前述の調音扉１ａと同じ構造であるため、詳細な構造および作用の説明を省略する。
【００８７】
室内収納部４は、造作家具であり、空間部４０の開口部分を塞ぐように調音扉１ｂが取り付けられた構造である。なお、調音扉１ｂは、室内の壁面と略面一に取り付けられており、すっきりとしていて邪魔にならないように構成されている。つまり、従来の吸音パネルのように壁面から室内へ張り出さないので、自然な見た目で、利用者に違和感を与えない室内空間となっている。
【００８８】
調音部３ｂを透過して扉の後背側に至った透過音波は、調音部３ｂへの到達前と比較して散乱減衰および吸収減衰が進んでおり、仮に、空間部４０の内壁で反射した音波が再度調音部３ｂを透過したとしても、散乱減衰および吸収減衰が更に進み、室内では、一般の人の聴覚では認識できないほどの音に調音することができる。
【００８９】
このように、室内収納部４は、扉の後背方向にある程度の奥行きを持った空間を有する態様であるので、調音部３ｂを透過した後の音波の散乱減衰および吸収減衰が進み、調音機能が更に向上している。加えて、室内収納部４が備える空間部４０は、いわゆる吸音パネルの空気室等と同等の作用効果を奏し、共鳴式の消音構造と同等の消音効果も期待できる。つまり、室内収納部４は、調音扉３ｂと空間部４０とが協働して、設けられた室内に優れた調音効果をもたらすことができる。更に、室内収納部４内に音波を減衰させる収納物Ｃ（洋服等の繊維製品）が収納されているときは、調音扉１ｂを透過した音波が洋服等によっても減衰し、設けられた室内に更に優れた調音効果をもたらすことができる。
【００９０】
〔第４実施形態〕
図６を参照する。図６に示す本発明の第４実施形態は、収納家具５（ワードローブ）である。収納家具５は、収納物を出し入れ可能な開口部が形成された箱状の家具本体部５０と、開口部に複数取り付けられた調音扉１ｃとを備える。調音扉１ｃは、左右方向へ両開きの扉である。なお、調音扉１ｃは、調音部の段数を除いて各々前述の調音扉１ａと同じ構造であるため、詳細な構造および作用の説明を省略する。
【００９１】
収納家具５は、自然な見た目のインテリアでありながら、家具本体部５０に取り付けられた調音扉１ｃによって、設置された室内空間の調音をすることができる。そして、収納家具５は、前述の室内収納部４と異なり造作家具（据え付け）ではないので、室内空間に応じた自由なレイアウトや模様替え、室内環境に応じた設置数の増減を容易に行うことができる。
【００９２】
調音部３ｃを透過して扉の後背側に至った透過音波は、調音部３ｃへの到達前と比較して散乱減衰および吸収減衰が進んでおり、家具本体部５０の内壁で反射した音波が再度調音部３ｃを透過したとしても、散乱減衰および吸収減衰が更に進み、室内では、一般の人の聴覚では認識できないほどの音に調音される。
【００９３】
このように、収納家具５は、扉の後背方向にある程度の奥行きを持った空間である家具本体部５０を備える態様であるので、調音部３ｃを透過した後の音波の散乱減衰および吸収減衰が進み、調音機能が更に向上している。加えて、収納家具５が備える家具本体部５０は、いわゆる吸音パネルの空気室等と同等の作用効果を奏し、共鳴式の消音構造と同等の消音効果も期待できる。つまり、収納家具５は、調音扉３ｃと家具本体部５０とが協働して、設置された室内に優れた調音効果をもたらすことができる。更に、収納家具５内に音波を減衰させる収納物Ｃ（洋服等の繊維製品）が収納されているときは、調音扉１ｃを透過した音波が洋服等によっても減衰し、設置された室内に更に優れた調音効果をもたらすことができる。
【００９４】
〔第５実施形態〕
図７を参照する。図７に示す本発明の第５実施形態は、調音部材３０を適用した衝立（パーティション）６である。衝立６は、中央の大部分が開口した方形の衝立枠体２５と、開口の全部を塞いで配置された調音部材３０とを備える。なお、調音部材３０は、調音部の段数を除いて前述の調音扉１ａの調音部３ａと同じ構造であるため、詳細な構造および作用の説明を省略する。
【００９５】
衝立６は、その後背が見えないように覆い隠す本来の作用効果に加え、調音部材３０の作用効果により、設置された室内空間の調音をすることができる。つまり、衝立６は、自然な見た目のインテリアでありながら、設置された室内空間の調音をすることができるものである。
【００９６】
調音部材３０を透過して扉の後背側に至った透過音波は、調音部材３０への到達前と比較して散乱減衰および吸収減衰が進んでおり、仮に、音波が調音部材３０の後背側の壁等で反射して再度調音部材３０を透過したとしても、更に散乱減衰および吸収減衰が進むため、一般の人の聴覚では認識できないほどの音になる。
【００９７】
なお、衝立６は、後背方向にある程度の奥行きを持った空間がある方が、透過後の音波の散乱減衰および吸収減衰が進んで調音機能が向上するので、衝立６の後方の壁面からある程度の距離をおいて設置することが好ましい。
【００９８】
〔調音部または調音部材に関する考察〕
また、前述の調音部または調音部材は、第１シートを構成する繊維シートの音波の透過率と、第２シートを構成する繊維シートの音波の透過率とが、相違するように設定されていてもよい。
【００９９】
第１シートと第２シートの音波の透過率が同じである場合、１種類のシートの使用で足りるため、製造時の材料調達に無駄が少なくて済む点で好ましい。また、調音扉１のように掛止部に回し掛けて取り付ける構造の場合は、１枚のシートを回し掛けるだけでよく、作業工程が少なくて済む点でも好ましい。
【０１００】
第１シートと第２シートの音波の透過率が各々異なる場合、各シートの特性に応じて異なる周波数の音波を散乱させて減衰させることができ、同じ音波の透過率のシートが二枚である場合よりも、室内空間の調音効果が更に向上する。
【０１０１】
本発明でいう音波は空気が振動して伝わるものである。このため、本発明者は、音波の透過率の大小がシートの通気量に関係していると考え、比較的通気量が多い繊維シートＡ（通気量（ｃｍ３／ｃｍ２・Ｓ）が１１６）と、比較的通気量が少ない繊維シートＢ（通気量（ｃｍ３／ｃｍ２・Ｓ）が２３）とを使用し、
（ａ）繊維シートＡが二枚の組み合わせ
（ｂ）繊維シートＢが二枚の組み合わせ
（ｃ）繊維シートＡを前面側に、繊維シートＢを後背側に配置した組み合わせ
（ｄ）繊維シートＢを前面側に、繊維シートＡを後背側に配置した組み合わせ
により、吸音率測定試験を行った。試験結果は図９に示す通りである。
【０１０２】
本発明の目的とする「調音」においては、室内空間の調音効果を高めるために、音波の透過率に基づく、少なくとも可聴域のできるだけ広い帯域の散乱減衰を図るのが好ましい。以下の試験では、この確認のため、音波の透過率が同じ繊維シートを２枚使用した場合と、音波の透過率が互いに異なる二枚の繊維シートを適宜組み合わせて使用した場合について、それぞれ吸音率を測定し、比較した。なお、本発明が改善の目的とする「調音」は、その効果あるいは程度等を直接数値化できるものではないため、本試験においては、その代替として吸音率を測定し、その変化の比較を、調音効果の比較として考察したものである。
【０１０３】
＜試験条件＞
測定方法：垂直入射吸音率測定システムを使用し、試験体を測定管に挿入し測定した。
試験体：内径１００ｍｍの塩化ビニール円筒に間隔を空けて前述の２枚の繊維シートＡまたは繊維シートＢを上記（ａ）〜（ｄ）の各態様で張ると共に、音波の透過方向での反射を抑制する吸音体を配置して、試験体内での透過音波の反響を抑制している。
【０１０４】
（ａ）と（ｂ）の試験結果を比較したところ、低音域（６３−２００ヘルツ）では音波を吸音する（減衰させる）機能性において繊維シートＢが優位であるが、中音域の３５０ヘルツを超えた辺りで逆転して、繊維シートＡが優位となることが判明した。（ｃ）と（ｄ）の試験結果を比較したところ概ね拮抗していることが判明した。そして、（ｃ）と（ｄ）の計測値は、１００−２５０ヘルツおよび４５０−１６００ヘルツの帯域において、（ａ）と（ｂ）の各々の計測値の間に収まることが判明した。
【０１０５】
（試験結果の考察１）
（ａ）と（ｂ）の試験結果について検討を行った。繊維シートＡが二枚の組み合わせの場合、繊維シートＢよりも低音域の吸音性は劣るが、中音域（３５０ヘルツあたり）に至ると繊維シートＡの吸音性が優位となる。そして、繊維シートＢが二枚の組み合わせの場合、繊維シートＡよりも低音域（１００−３５０ヘルツ）の吸音性が優位である。つまり、同じ通気量の繊維シート二枚の組み合わせである場合、選択した繊維シートの属性により、吸音可能な音域がほぼ決定されることになる。
【０１０６】
（試験結果の考察２−１）
（ｃ）と（ｄ）の試験結果について検討を行った。（ｃ）と（ｄ）の計測値が、１００−２５０ヘルツおよび４５０−１６００ヘルツの帯域において、（ａ）と（ｂ）の各々の計測値の間に収まることから、繊維シートＡと繊維シートＢを組み合わせの場合の方が、低音域ないし中音域における吸音のバランスが良いことが判明した。
【０１０７】
つまり、本発明が、極端な「吸音」や「消音」といった効果を得ることを目的とせず、室内空間における音を生活に支障がでない程度の環境に整える「調音」を目的とすることを鑑みれば、調音部または調音部材を構成するシートは、第１シートと第２シートが各々異なる通気量である方が、調音効果を向上してより好ましいといえる。
【０１０８】
（試験結果の考察２−２）
（ｃ）と（ｄ）の試験結果について更に検討を行った。前述の通り、調音部または調音部材を構成するシートは、第１シートと第２シートが各々異なる通気量である方がより好ましく、いずれの配置パターンであってもよいが、試験結果を鑑みると、６３−１６００ヘルツ中で相互比較の結果がより良かった（ｄ）の配置パターンであることが更に好ましいといえる。
【０１０９】
前述の各実施形態において、調音部または調音部材は、取着対象である扉本体部等に形成された開口部（開口）の概ね全部を塞いで配置されているが、これに限定するものではなく、例えば、開口部の一部を塞ぐ態様で配置されていてもよい。
【０１１０】
また、現在、日本社会は高齢化が進んでおり、高齢者は今後増え続けることとなる。そして、高齢者の特性として、比較的自宅に居る時間の長いこと、可聴域が狭まる（いわゆる耳が遠くなる）ことが挙げられる。前述のした住宅における音響障害は、若年者のみならず、前述の特性を有する高齢者にとっても大きな問題である。即ち、本発明は、前述の目的のほか、本項で述べた高齢者の生活環境改善も目的としており、本発明の作用効果によって、高齢者の生活環境改善を達成することもできる。
【０１１１】
本明細書および特許請求の範囲で使用している用語と表現は、あくまでも説明上のものであって、なんら限定的なものではなく、本明細書および特許請求の範囲に記述された特徴およびその一部と等価の用語や表現を除外する意図はない。また、本発明の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【０１１２】
１、１ａ、１ｂ、１ｃ    調音扉
２、２ａ    扉本体部
２１    縦枠
２２    横枠
２３、２３ａ１、２３ａ２    掛止部
２５    衝立枠体
３、３ａ、３ｂ、３ｃ    調音部
３０    調音部材
３１、３１ａ    第１シート
３２、３２ａ    第２シート
３３、３３ａ    空隙
Ｌ１    中央線
Ｌ２    水平軸線
４    室内収納部
４０    空間部
５    収納家具
５０    家具本体部
６    衝立
Ｃ    収納物
９    吸音パネル
９１    レゾネータ部材
９２    中空部
９３    開口
９４    凸部
【図１】
2019167793.tif 000003
【図２】
2019167793.tif 000004
【図３】
2019167793.tif 000005
【図４】
2019167793.tif 000006
【図５】
2019167793.tif 000007
【図６】
2019167793.tif 000008
【図７】
2019167793.tif 000009
【図８】
2019167793.tif 000010
【図９】
2019167793.tif 000011